(57)【要約】【課題】  スピニングリールの操作の円滑性が未だ十分ではない。【解決手段】  釣用スピニングリールのハンドルの回転運動をスプールの往復運動に変換するためのリール本体の内部に備えられたオシレート機構において、ハンドルの回転を、スプールの往復運動へ変換するオシレートギアへ伝達するための複数のギアの１組を、樹脂製のはすば歯車で構成して、ハンドル操作の円滑性に優れた釣用スピニングリールを提供する。【選択図】図３
2018201483.tif 000002
【特許請求の範囲】
【請求項１】
リール本体と、これに回転可能に装着されたハンドル、前記リール本体の前部に回転可能に装着された釣糸案内用のロータ、該ロータの前部に配置され、釣糸を巻取るための前後に往復移動するスプール、釣糸の動きを制御するベールから構成された釣用スピニングリールにおいて、該釣用スピニングリールは
前記ハンドルの回転を前記スプールの前記往復移動に変換するためのオシレート機構を前記リール本体内部に備え、
前記オシレート機構は、前記ハンドルの軸に結合された第１のギアと、前記ハンドルの回転運動を前記スプールの往復移動に変換する機構に嵌合して該変換機構を駆動するオシレートギアと、前記第１のギアの回転を前記オシレートギアに伝達するための第２のギアを少なくとも含み、
前記第１のギア、前記第２のギア、及び前記オシレートギアの内、少なくとも１組が樹脂製のはすば歯車である
ことを特徴とする釣用スピニングリール。
【請求項２】
前記第２のギアと前記オシレートギアとの間に、前記第２のギアの回転を前記オシレートギアに伝達するための樹脂製のアイドルギアをさらに備えた、請求項１に記載の釣用スピニングリール。
【請求項３】
前記第２のギア及び前記アイドルギアの回転軸が、前記リール本体に、前記回転軸の軸心の位置が前記リール本体に対して軸径方向に調整可能に螺子で固定される、請求項２に記載の釣用スピニングリール。
【請求項４】
前記変換機構は、前記スプールに結合して往復移動を伝達するスプール軸の他の端部が結合され、Ｓ字状の中空の溝を有する板状のオシレートスライダーと、前記オシレートギアの側面から突起したポストとを含み、該ポストが前記溝に嵌合されて前記溝に沿って動くことにより前記オシレートギアの回転を前記スプール軸の往復運動に変換する機構である、請求項１〜３のいずれか１項に記載の釣用スピニングリール。
【請求項５】
前記樹脂の材料が、ポリアセタール、ポリアミド、ポリフェニレンサルファイト及びポリエーテルエーテルケトンの内の少なくとも１つである、請求項１に記載の釣用スピニングリール。
【発明の詳細な説明】
【技術分野】
【０００１】
本発明は、ハンドル操作の円滑性に優れた釣用スピニングリールの構造に関する。
【背景技術】
【０００２】
釣用スピニングリールは、図１に内部構造が模式的に示されているように、釣竿に装着されたリール本体１１と、これに回転可能に装着されたハンドル１２、リール本体の前部に回転可能に装着された釣糸案内用のロータ１３、ロータの前部に配置された釣糸を巻取るための前後移動するスプール１４、釣糸の動きを制御するベール１５等、多くの可動部品から構成されている。
【０００３】
現用の釣用スピニングリールにおいて特に従来問題とされてきたのが、特許文献１及び２に詳細に述べられているように、往復運動するスプール１４に釣糸をいかに均一な厚さに巻取るかという問題である。それを達成するために、ハンドルの回転をスプールの往復運動に変換する摺動機構（オシレート機構）１６のうち、オシレートギア１９の突起２０に係合する、スプール軸１７に固定された摺動子（オシレートスライダー）１８に設けられた溝２１の形状について種種提案され、これにより釣糸の巻取りの均一性が改良されてきた。
【０００４】
しかし現在の釣用スピニングリールの問題点はそれだけでなく、操作の円滑性も未だ十分ではないという課題もある。使用者がリールの操作が滑らかであると感じるためには、これらロータ、スプール、ハンドルのギア等の可動部品が、バックラッシュすることなく、円滑に回転、往復動作することが求められる。特にスプールは、それ自体に重量があり、それが往復運動するため、スプールの移動方向が反転する際に動作の不連続性を感じさせやすくなり、また、釣糸を巻取る場合には大きな張力がかかるため、前後の動作が非対象となりバックラッシュが生じて動作の不連続性を感じさせる、あるいは異音が発生するという問題があった。
【先行技術文献】
【特許文献】
【０００５】
【特許文献１】特許第３２９２３６６号公報
【特許文献２】米国特許第７２９０７２８号明細書
【特許文献３】米国特許第５５１３８１４号明細書
【発明の概要】
【発明が解決しようとする課題】
【０００６】
本発明の目的は、上述した従来の釣用スピニングリールの操作性の問題を解消して、リール操作、特にハンドル操作の円滑性を向上させた釣用スピニングリールを提供することにある。
【課題を解決するための手段】
【０００７】
図１に示されているように、ハンドル１２を回転させることにより、ロータ１３が回転すると共に、その回転に連動して、スプール１４は釣糸をスプールに均一に巻取るために前後に往復運動する。ハンドルの回転運動をスプール１４の往復運動に変換するための機構としてオシレート機構１６が設けられているが、本発明では、ハンドル１２の回転をオシレートギア１８に伝達するための中間ギアとして、樹脂製のはすばギアを用いるようにしたものである。
【０００８】
すなわち、本発明は、以下の釣用スピニングリールを提供する。
【０００９】
リール本体と、これに回転可能に装着されたハンドル、前記リール本体の前部に回転可能に装着された釣糸案内用のロータ、該ロータの前部に配置された釣糸を巻取るための前後に往復移動するスプール、釣糸の動きを制御するベールから構成された釣用スピニングリールにおいて、該釣用スピニングリールは
前記ハンドルの回転を前記スプールの前記往復移動に変換するためのオシレート機構を前記リール本体内部に備え、
前記オシレート機構は、前記ハンドルの軸に結合された第１のギアと、前記ハンドルの回転運動を前記スプールの往復移動に変換する機構に嵌合し、該変換機構を駆動するオシレートギアと、前記第１のギアの回転を前記オシレートギアに伝達するための第２のギアを少なくとも含み、
前記第１のギア、前記第２のギア、及び前記オシレートギアの内、少なくとも１組が樹脂製のはすば歯車である
ことを特徴とする釣用スピニングリール。
【００１０】
また、本発明の釣用スピニングリールは、前記第２のギアと前記オシレートギアとの間に、前記第２のギアの回転を前記オシレートギアに伝達するための樹脂製のアイドルギアをさらに備えてもよい。
また、本発明の釣用スピニングリールは、前記第２のギア及び前記アイドルギアの回転軸が、前記リール本体に、前記回転軸の軸心の位置が前記リール本体に対して軸径方向に調整可能に螺子で固定されてもよい。
【００１１】
また、前記変換機構は、前記スプールに結合して往復移動を伝達するスプール軸の他の端部が結合され、Ｓ字状の中空の溝を有する板状のオシレートスライダーと、前記オシレートギアの側面から突起したポストとを含み、該ポストが前記溝に嵌合されて前記溝に沿って動くことにより前記オシレートギアの回転を前記スプール軸の往復運動に変換する機構としてよい。
【００１２】
さらに、本発明の釣用スピニングリールは、前記樹脂の材料を、ＰＯＭ（ポリアセタール）、ＰＡ（ポリアミド）、ＰＰＳ（ポリフェニレンサルファイト）、ＰＥＥＫ（ポリエーテルエーテルケトン）の内の少なくとも１つとしてよい。
【発明の効果】
【００１３】
本発明のような構成のオシレート機構にすることによって、リール操作の円滑性に優れた釣用スピニングリールを提供することができる。
【図面の簡単な説明】
【００１４】
【図１】図１は、従来の釣用スピニングリールにおける各部品の配置の概要を模式的に示す断面図である。
【図２】図２は、本発明の実施形態によるオシレート機構を模式的に示した斜視図である。
【図３】図３は、本発明の実施形態によるオシレート機構を横方向から見た模式図である。
【発明を実施するための形態】
【００１５】
本発明の実施形態を図面を参照しながら詳細に説明する。但し、本発明は、以下に説明する実施形態に限定されるものではない。
【００１６】
図２は、本発明の実施形態による釣用スピニングリールの、ハンドルの回転をスプールの往復運動に変換するオシレート機構２００の部品の配置を模式的に示した斜視図である。また図３はこの機構を真横から見た模式図である。これらの図を参照して本発明のオシレート機構を説明する。ハンドル（図示せず）に直結したハンドルのシャフト（図示せず）は、シャフトのホルダ２０１に固定され、該ホルダ２０１に固定された第１のギア２０２は、ハンドルを回すことにより回転する。別の回転軸２１１には第２のギア２１２、及びアイドルギア２１３が保持され、第２のギア２１２の歯は第１のギア２０２の歯に係合し、第１のギアの回転に伴い第２のギア２１２は回転軸２１１を中心に第１のギアと逆方向に回転する。図３に示すように、回転軸２１１は、リール本体２３０に螺子２２６により軸径方向の調整幅をもって固定され、螺子２２６の締め付け時に回転軸２１１の軸心の位置を調整可能としている。そして第２のギア２１２よりも半径の小さいアイドルギア２１３も第２のギア２１２に連動して逆回転する。アイドルギア２１３の歯は半径の大きいオシレートギア２２１の歯に係合しており、アイドルギア２１３の回転がオシレートギア２２１を減速回転させる。なお、図２、３の実施例では、第２のギア２１２及びアイドルギア２１３は一体的に回転するが、これらは一体であっても、各々が個別に回り止め結合されていてもよい。
【００１７】
オシレートギア２２１にはそれに固定された突起部分であるポスト２２２が設けられている。このポスト２２２がオシレートスライダー２２４に設けられたＳ字状の溝２２３に嵌め込まれており、また、オシレートスライダー２２４にはメインシャフト２２５が固定されている。オシレートギア２２１の回転に伴ってポスト２２２はＳ字状の溝２２３の内側に沿うように移動し、メインシャフト２２５がこれに伴って（摺動運動）往復運動する。Ｓ字状の形状にすることにより、メインシャフト２２５の反転時以外の速度がなるべく一定となるように構成されている。このようにしてハンドルの回転がメインシャフト２２５の往復運動に変換される。
【００１８】
従来、特許文献１及び２からも分かるように、第１のギア、第２のギアには一般的に平歯車が用いられてきたのに対して、本発明でははすば歯車を用いる。はすば歯車同士の噛合いは平歯車同士の噛合いと比較して「噛合い率」が高くなり、歯同士の接触が平均して回転が安定する。従って、より円滑性の高い回転の伝達が可能となる。さらに、回転軸２１１の固定時において軸径方向の位置を調整することにより、第１のギア２０２、第２のギア２１２の噛合い位置、及びアイドルギヤ２１３、オシレートギア２２１の噛合い位置を、バックラッシュの無い最適な位置に保つことができる。
【００１９】
さらに本発明では、第１のギア２１１、第２のギア２１２及びアイドルギア２１３の材質として樹脂を用いている。樹脂が持つ柔軟性により、第１と第２のギア同士、及びアイドルギアとオシレートギアの歯の接触時の衝撃が緩和され、また噛合い時の歯の接触面積を増やすことができる。これによりさらに円滑性の高い回転の伝達が可能となる。樹脂の材質としてはＰＯＭ（ポリアセタール）、ＰＡ（ポリアミド）、ＰＰＳ（ポリフェニレンサルファイト）、ＰＥＥＫ（ポリエーテルエーテルケトン）等の硬質の材料を用いることができる。なお、本実施例ではオシレートギア２２１にはＺｎ合金、Ａｌ等の金属を用いているが、前述の樹脂を用いてもよい。
【００２０】
上記実施例では、ハンドルの回転のオシレートギア２２１の回転への伝達を、第１のギア２１１、第２のギア２１２及びアイドルギア２１３を介して行う構成について説明したが、ハンドルシャフトの回転を最終的にオシレートギアに伝達する構成は、これに限定されず、他のギアの組合せが可能である（例えば特許文献３）。その場合、可能な限り多くのギアの組合せを、樹脂製のはすば歯車とすることが望ましい。
【符号の説明】
【００２１】
１０  従来の釣用スピニングリールの構造
１１  リール本体
１２  ハンドル
１３  ロータ
１４  スプール
１５  ベール
１６  オシレート機構
１７  スプール軸
１８  オシレートスライダー
１９  オシレートギア
２０  突起
２１  溝
２００  オシレート機構
２０１  シャフトのホルダ
２０２  第１のギア
２１１  回転軸
２１２  第２のギア
２１３  アイドルギア
２２１  オシレートギア
２２２  ポスト
２２３  溝
２２４  オシレートスライダー
２２５  メインシャフト
２２６  螺子
２３０  リール本体
【図１】
2018201483.tif 000003
【図２】
2018201483.tif 000004
【図３】
2018201483.tif 000005